(57)【要約】【課題】ディスプレイ部を計数機本体に搭載して構成した遊技媒体計数機において、ディスプレイ部を起立させたときに後方に突出しないようにするとともに、不正工作の予防を図る。【解決手段】ディスプレイ部２は、蝶番１５を介して摺動バー１９に取り付けられる。計数機本体３の内部に配設された２枚の側板１７には摺動溝１８が条設され、摺動バー１９は、この摺動溝１８に嵌装されて溝内でスライド可能に形成される。ディスプレイ部２は、蝶番１５が支点１６となって起立すると同時に、前後に摺動させることができるようになる。また、ディスプレイ部２の裏蓋１２には、覗き窓１３および警告ランプ１４が備えられる。【選択図】  図２
2004298589.tif 000002
【特許請求の範囲】
【請求項１】
遊技機で遊技することにより獲得した遊技媒体の数を計数するためのもので、計数機本体にディスプレイ部を搭載して構成した遊技媒体計数機において、
前記ディスプレイ部は、その後端部を支点として前記遊技媒体計数機の前面側から起立可能に構成されるとともに、前記支点は、前記計数機本体の上面に沿って、前後方向にスライド可能に構成されることを特徴とする遊技媒体計数機。
【請求項２】
前記ディスプレイ部は、スライド機構の適所にて、前記計数機本体より着脱可能に構成されていることを特徴とする請求項１に記載の遊技媒体計数機。
【請求項３】
前記ディスプレイ部と前記計数機本体とを結ぶリード線は、フローティングコネクタを介して結線されていることを特徴とする請求項１または請求項２に記載の遊技媒体計数機。
【請求項４】
前記ディスプレイ部の裏蓋に覗き窓が形成されていることを特徴とする請求項１〜請求項３のいずれかに記載の遊技媒体計数機。
【請求項５】
前記ディスプレイ部の裏蓋に警告ランプが装着されていることを特徴とする請求項１〜請求項４のいずれかに記載の遊技媒体計数機。
【発明の詳細な説明】
【０００１】
【発明の属する技術分野】
この発明は、パチンコやスロットマシンなどの遊技機で遊技することによって獲得したパチンコ玉やメダルなどの遊技媒体の数を計測する遊技媒体計数機に関する。
【０００２】
【従来の技術】
図１０は、従来の分割形の遊技媒体計数機の一例を示し、計数機本体３の上にディスプレイ部２が搭載されて構成されたものである。計数機本体３の上面は開閉蓋４で蓋をされ、遊技ホールの係員以外の者が勝手に計数することのないよう施錠されている。遊技機で遊技することによって獲得した遊技媒体７は、呼び出しを受けた係員によって開錠されて開閉蓋４が開けられ、受け口となるホッパー８に投入される。そして数量がカウントされ、その結果は、ディスプレイ部２の表示パネルに表示されると同時に、同じ情報がこの遊技媒体計数機に並置された発券機に送られ、計数値を印字した預り券が発行される。
【０００３】
ディスプレイ部２には、異常発生を知らせる警告ランプ１０，計数の開始や係員の呼出しのための操作ボタン１１が備わり、開閉蓋４の中央部には、持ち上げ易いように、取っ手５が備わっている。さらに最近では、一般の遊技客がタバコやジュースなど少数の交換の際に係員を呼ばずに計数ができるように、開閉蓋４の適所に遊技媒体７が少数ずつ入るような小さな投入口６が設けるとともに、計数が可能な枚数を設定してそれ以上の投入を制限する小計数機能を有した機種も提供されている。
【０００４】
ディスプレイ部２の保守点検や故障の修理，不正配線の有無の確認作業などの際は、図１０の仮想線で示した状態にまでディスプレイ部２を起立させてから、裏蓋１２を取り外すことが必要となる。このとき、従来のディスプレイ部２は、たとえばその後端部に取付けられた蝶番１５などを旋回の支点１６として、遊技媒体計数機１の前面側から持ち上げることによって起立姿勢をとる構成となっている。なお、ディスプレイ部２と計数機本体３とを結ぶリード線２３は、従来は１本ずつに対応するコネクタ２５によって結線されたものである。
【０００５】
【発明が解決しようとする課題】
上記のような従来のディスプレイ部の起立構造は、ディスプレイ部が起立できるための空間が確保されなければならない。すなわち、この遊技媒体計数機が設置される背後の壁と遊技媒体計数機との間に、少なくともディスプレイ部の高さに相当するだけの幅に余裕をもって設置する必要がある。遊技ホールにとっては、それだけ余分な設置スペースが割かれることとなる。
【０００６】
次に、ディスプレイ部を起立させたあとの操作性についていえば、裏蓋を取り外さなければ内部の様子が全く分からないという問題がある。また、ディスプレイ部の起立の最中に異常が発生しても、警告ランプが背後に回って見えなくなるという問題もある。さらに、ディスプレイ部と計数機本体とを結ぶリード線は、結線の機能が見極めやすいために、不正に工作される心配が高い。
【０００７】
【課題を解決するための手段】
この発明は、以上の如き課題に鑑みなされたもので、請求項１に記載の発明は、遊技機で遊技することにより獲得した遊技媒体の数を計数するためのもので、計数機本体にディスプレイ部を搭載して構成した遊技媒体計数機において、前記ディスプレイ部は、その後端部を支点として前記遊技媒体計数機の前面側から起立可能に構成されるとともに、前記支点は、前記計数機本体の上面に沿って、前後方向にスライド可能に構成されることを特徴とする。これは、ディスプレイ部の起立作業と同時進行的に旋回の支点を前後方向に摺動可能とすることにより、起立時におけるディスプレイ部の後方への突出を防ぐものである。
【０００８】
請求項２に記載の発明は、請求項１に記載の遊技媒体計数機において、前記ディスプレイ部は、スライド機構の適所にて、前記計数機本体より着脱可能に構成されていることを特徴とする。このように、スライド機構の適所にて着脱可能機能を持たせることにより、ディスプレイ部を完全に取り外すことができるようにもしている。
【０００９】
請求項３に記載の発明は、請求項１または請求項２に記載の遊技媒体計数機において、前記ディスプレイ部と前記計数機本体とを結ぶリード線は、フローティングコネクタを介して結線されていることを特徴とする。すなわち、ディスプレイ部の着脱に際して、当然、リード線の分離も必要となるが、フローティングコネクタを採用することによって、分離の際の操作性が改善されるほか、一束単位で管理された結線は対応するリード線を一見しただけで見極めることが難しくなるので、いわゆる配線ゴトと称される不正な配線工作を予防できるという効果を狙ったものである。
【００１０】
請求項４に記載の発明は、請求項１〜請求項３のいずれかに記載の遊技媒体計数機において、前記ディスプレイ部の裏蓋に覗き窓が形成されていることを特徴とする。覗き窓には透明板が嵌め込まれ、裏蓋を取り外すことなく簡易的に内部の基板やコネクタの状態などを確認できるようにするもので、やはり不正を防いだり、不正の発見をしやすくするためのものである。
【００１１】
請求項５に記載の発明は、請求項１〜請求項４のいずれかに記載の遊技媒体計数機において、前記ディスプレイ部の裏蓋に警告ランプが装着されていることを特徴とする。すなわち、ディスプレイ部の正面側に装着されている警告ランプが、ディスプレイ部の起立時には背後に回って見えなくなるので、ディスプレイ部の裏面にも警告ランプを装着して点灯または点滅させることにより、異常発生の認識ができるようにするとともに、当該ディスプレイ部が起立状態にあることを周囲に知らしめて監視の目を引き、不正な作業が行われるのを未然に防ごうとするものである。
【００１２】
【発明の実施の形態】
次に、この発明の実施の一形態について、図を参照しながら説明する。図１〜図３は、この発明の遊技媒体計数機の側面図であり、ディスプレイ部が起立していく過程を順を追って示したものである。これらの図の左側がこの遊技媒体計数機の前、右側が後であり、人間が前側に立ったとき目にするのが正面、後側が背面である。図４は、図３に示されるように、ディスプレイ部が起立状態にあるときの遊技媒体計数機の平面図であり、図５は図３の正面図である。また図６は、この遊技媒体計数機の外観を表したものである。
【００１３】
これらの図において、遊技媒体計数機１は、ディスプレイ部２が計数機本体３に搭載されて構成されたものである。そして、計数機本体３の上面はたとえばアクリルなどの透明な開閉蓋４で蓋をされ、係員以外の者に勝手に開けられないように施錠されている。開閉蓋４の中央部には取っ手５が設けられ、その下には、取っ手５に指を掛けやすくするための窪みを利用して、小計数時用の投入口６が開口している。これにより、シンプルなデザインに優れ、製造に手間のかからない小計数機能対応の開閉蓋４とすることができる。
【００１４】
遊技機で遊技することによって獲得した遊技媒体７は、通常は遊技ホールの係員によって開錠されて開閉蓋４が開けられてから投入され、ホッパー８によって中央部に集められて計数ユニットへと送られていく。計数の結果は、ディスプレイ部２の表示パネル９に表示されると同時に、同じ情報がこの遊技媒体計数機１に並置された発券機（図示されていない）に送られ、計数値の印字された預り券が発行される。そのほか、ディスプレイ部２には、異常発生を知らせる警告ランプ１０，計数の開始ボタンや係員の呼出ボタンといった操作ボタン１１が備わっている。
【００１５】
ディスプレイ部２の保守点検や故障の修理，不正配線の有無の確認作業などの場合は、ディスプレイ部２を持ち上げて裏蓋１２が正面側から見える位置に置く必要がある。裏蓋１２には、ガラスやアクリルなどの透明板の嵌め込まれた覗き窓１３が設けられ、裏蓋１２を取り外さなくとも簡易的に内部の基板やコネクタの様子が覗き見できるようになっている。
【００１６】
また、裏蓋１２には警告ランプ１４が装着されている。これは、正面側に装着された警告ランプ１０がディスプレイ部２の起立時に背後に隠れて正面側からは見えなくなるために、裏蓋１２にも警告ランプ１４が備わるようにしたものである。これにより、たとえばディスプレイ部２の起立時に警告ランプ１４が点灯するようにして起立状態にあることを係員に認知させることで不審者を監視しやすくし、また、遊技媒体７の機械詰まりなどによる異常時には点滅に切り替わるようにすることで、異常発生の認識ができるようになる。
【００１７】
ディスプレイ部２の起立は、たとえばその後端部に取付けた蝶番１５を旋回の支点１６として正面側から持ち上げて行われる。この発明は、起立と同時に、支点１６が計数機本体３の上面に沿って前後方向にスライド可能に構成されていること、が特徴の一つとなっている。そして、図１〜図３に示されたディスプレイ部２の起立の過程から分かるように、ディスプレイ部２を起立させても、計数機本体３の後端より後方に突出することがなくなる。
【００１８】
図７および図８は、この発明のスライド機構の実施の一形態を示すもので、図７は一部断面を含む図５のＡ部拡大図、図８は断面を含む図３のＢ部拡大図である。そして、図８（ａ）はディスプレイ部２が計数機本体３に装着された図、図８（ｂ）は取り外し直後の図である。これらの図において、計数機本体３の内部の２枚の側板１７には前後方向に摺動溝１８が条設され、これに摺動バー１９がスライド可能かつ抜け落ちないように嵌装されている。摺動バー１９は角棒状であるが、摺動溝１８との嵌装部は丸駒形となっており、摺動溝１８内を滑りながら移動することができる。一方、ディスプレイ部２の後端には、蝶番１５を介してカバー２０が取り付けられる。このカバー２０は、摺動バー１９に被さるように形成されたもので、カバー２０に挿入させた取付ねじ２１を摺動バー１９に螺合させることによって着脱自在に固定される。
【００１９】
図９は、この発明のスライド機構の他の実施の一形態を示すもので、図２のＣ部に相当する拡大図であり、図９の（ａ）〜（ｂ）は、ディスプレイ部２の取り外しの過程を表している。これらの図において、計数機本体３の内部の２枚の側板１７には前後方向に摺動溝１８が条設され、これに摺動バー１９がスライド可能かつ抜け落ちないように嵌装されている。摺動バー１９は角棒状であるが、摺動溝１８との嵌装部は丸駒形となっており、摺動溝１８内を滑りながら移動することができる。さらに、ディスプレイ部２の後端は、蝶番１５を介して摺動バー１９に直接固定されている。摺動溝１８の適所には嵌装状態を開放するための切欠き２２が備わり、この切欠き２２において、ディスプレイ部２は摺動バー１９と一体となったまま着脱可能となる。
【００２０】
ところで、上記２つの実施形態のほかに、摺動バー１９の丸駒形の嵌装部を回転駒として摺動溝１８の中を走らせる構成であってよい。さらに、摺動溝１８に代えてレールを採用し、これに回転駒を嵌合させたスライドレール形式とすることもできる。
【００２１】
次に、ディスプレイ部２と計数機本体３とを結ぶリード線２３が図３に示されている（なお、図３以外の各図には、リード線２３は省略されている）。このリード線２３の結線は、フローティングコネクタ２４によって行われている。これにより、ディスプレイ部２の着脱に際して、リード線２３の分離が容易となるほか、一束単位で管理された結線は、対応するリード線を一見しただけで見極めることが難しくなり、不正な配線工作を予防できる。
【００２２】
【発明の効果】
以上のように、遊技媒体計数機のディスプレイ部が、その後端部を支点とする前面側からの起立と同時に、支点が計数機本体の上面に沿って前後方向にスライド可能に構成されているので、起立時におけるディスプレイ部の後方への突出を防ぐことができる。ディスプレイ部は、スライド機構の適所にて着脱可能に構成され、必要時にはディスプレイ部を完全に取り外すことができる。このとき、ディスプレイ部と計数機本体とを結ぶリード線は、フローティングコネクタを介して結線されるので、ディスプレイ部の着脱の際にリード線の分離が容易となるほか、結線の対応が特定しにくくなり、不正な配線工作を予防できる。
【００２３】
ディスプレイ部の裏面に覗き窓が形成されていて、裏蓋を取り外すことなく簡易的に内部の基板やコネクタの状態などを確認できる。さらに、ディスプレイ部の裏面にも警告ランプが装着されているので、異常発生の認識ができるようになるほか、当該ディスプレイ部が起立状態にあることが周囲に分かるので監視しやすくなり、もし不正な作業が行われようとしても未然に防ぐことができる。
【図面の簡単な説明】
【図１】この発明の実施に関わる遊技媒体計数機の一側面図である。
【図２】この発明の実施に関わる遊技媒体計数機の一側面図である。
【図３】この発明の実施に関わる遊技媒体計数機の一側面図である。
【図４】図３の状態における遊技媒体計数機の平面図である。
【図５】図３の状態における遊技媒体計数機の正面図である。
【図６】この発明の実施に関わる遊技媒体計数機の斜視図である。
【図７】図５の一部断面を含むＡ部拡大図である。
【図８】図３のＢ部拡大図であり、図８（ａ）〜（ｂ）は過程を説明する図である。
【図９】図２のＣ部拡大図であり、図９（ａ）〜（ｂ）は過程を説明する図である。
【図１０】従来の遊技媒体計数機の一例を示す側面図である。
【符号の説明】
１…遊技媒体計数機
２…ディスプレイ部
３…計数機本体
４…開閉蓋
１０…警告ランプ
１２…裏蓋
１３…覗き窓
１４…警告ランプ
１５…蝶番
１６…支点
１７…側板
１８…摺動溝
１９…摺動バー
２４…フローティングコネクタ
【図１】
2004298589.tif 000003
【図２】
2004298589.tif 000004
【図３】
2004298589.tif 000005
【図４】
2004298589.tif 000006
【図５】
2004298589.tif 000007
【図６】
2004298589.tif 000008
【図７】
2004298589.tif 000009
【図８】
2004298589.tif 000010
【図９】
2004298589.tif 000011
【図１０】
2004298589.tif 000012